(57)【要約】【課題】デジタル複合機が蓄積する画像データをユーザにとって利便性のよい形態で提供することを課題とする。【解決手段】ユーザは、ＰＣ１０でワープロソフト５１を操作して文書データを作成する。ワープロソフト５１からファクシミリドライバ５２が呼び出され、ファクシミリ送信メニューがモニタ１５に表示される。ユーザは、そのメニューで「一時保存」および「文書一覧表示」を指定する。これにより、文書データがファクシミリ送信用画像データに変換され、デジタル複合機２０の一時保存フォルダ６１に格納される。さらに、一時保存フォルダ６１に格納されている文書一覧がモニタ１５に表示される。ユーザがダウンロードしたい文書をフォーマット指定した上で選択すると、デジタル複合機２０は、ファクシミリ送信用画像データを指定されたフォーマットの画像データに変換し、ＰＣ１０に送信する。【選択図】図１
2007306396.tif 000002
【特許請求の範囲】
【請求項１】
ネットワーク経由で端末からファクシミリ送信用画像データを受信して蓄積し、蓄積しているファクシミリ送信用画像データのリストを前記端末に送信する手段と、
前記端末から前記リストに含まれる画像データの１つを指定した情報を受信する指定情報受信手段と、
指定されたファクシミリ送信用画像データを所定フォーマットの画像データに変換する変換手段と、
変換後の画像データを前記端末に送信する手段と、
を備えることを特徴とするネットワークファクシミリ装置。
【請求項２】
請求項１に記載のネットワークファクシミリ装置において、
前記指定情報受信手段は、
画像フォーマットを指定した情報を受信する手段、
を含み、
前記変換手段は、
指定されたファクシミリ送信用画像データを指定された画像フォーマットの画像データに変換する手段、
を含むことを特徴とするネットワークファクシミリ装置。
【請求項３】
請求項１または請求項２に記載のネットワークファクシミリ装置において、
前記リストはＷｅｂブラウザにおいて表示可能なデータ形式で前記端末に送信されることを特徴とするネットワークファクシミリ装置。
【請求項４】
請求項１ないし請求項３のいずれかに記載のネットワークファクシミリ装置において、
前記ファクシミリ送信用画像データは、前記端末にインストールされているファクシミリドライバが前記端末に格納されているアプリケーションデータを変換することにより生成されることを特徴とするネットワークファクシミリ装置。
【請求項５】
画像フォーマットを変換するシステムであって、
アプリケーションデータが作成される端末と、
画像変換プログラムが格納されたネットワークファクシミリ装置と、
を備え、
前記端末は、
ファクシミリドライバによりアプリケーションデータをファクシミリ送信用画像データに変換して前記ネットワークファクシミリ装置に送信する手段と、
前記ネットワークファクシミリ装置が蓄積しているファクシミリ送信用画像データのリストからダウンロードする画像データを指定し、指定情報を前記ネットワークファクシミリ装置に送信する指定手段と、
を備え、
前記ネットワークファクシミリ装置は、
前記端末からファクシミリ送信用画像データを受信して蓄積し、前記リストを前記端末に送信する手段と、
前記端末から前記指定情報を受信し、指定されたファクシミリ送信用画像データを所定フォーマットの画像データに変換して前記端末に送信する手段と、
を備えることを特徴とする画像フォーマット変換システム。
【請求項６】
請求項５に記載の画像フォーマット変換システムにおいて、
前記指定手段は、
ダウンロードする画像のフォーマットを指定する手段、
を含み、
前記ネットワークファクシミリ装置は、指定されたファクシミリ送信用画像データを指定された画像フォーマットの画像データに変換することを特徴とする画像フォーマット変換システム。
【請求項７】
請求項５または請求項６に記載の画像フォーマット変換システムにおいて、
前記リストはＷｅｂブラウザにおいて表示可能なデータ形式で前記端末に送信されることを特徴とする画像フォーマット変換システム。
【発明の詳細な説明】
【技術分野】
【０００１】
本発明は、ネットワークファクシミリ装置の画像蓄積技術に関する。
【背景技術】
【０００２】
ネットワークファクシミリ装置を利用することで、ＬＡＮに接続されたパーソナルコンピュータ（以下、ＰＣと略する。）から直接ファクシミリ送信を行うことが可能である。ＰＣには、ファクシミリドライバがインストールされる。ユーザは、ワープロソフトなどアプリケーションプログラムを利用して文書ファイルを作成する。文書ファイルが完成すると、アプリケーションプログラムからファクシミリドライバを呼び出してファクシミリ送信指示を行うのである。これにより、文書ファイルがファクシミリ送信用の画像データに変換されてネットワークファクシミリ装置に転送され、指定された宛先に対してファクシミリ送信されるのである。
【０００３】
このように、ファクシミリドライバを利用してネットワークファクシミリ装置に対してファクシミリ送信を実行指示することが可能であるが、さらに、ネットワークファクシミリ装置には一時文書保存機能を備えるものがある。たとえば、上述の如くユーザがアプリケーションプログラムからファクシミリドライバを呼び出し、ファクシミリ送信ではなく一時文書保存の指示を行うのである。これにより、ＰＣからネットワークファクシミリ装置に送信された画像データがネットワークファクシミリ装置に蓄積されるのである。
【０００４】
【特許文献１】特開２００３−３７７００号公報
【発明の開示】
【発明が解決しようとする課題】
【０００５】
上記のように、ネットワークファクシミリ装置が一時文書保存機能を備えることにより、ＰＣで作成した文書ファイルなどを画像データとしてネットワークファクシミリ装置に蓄積することが可能である。また、好きなときにその画像データをファクシミリ送信することも可能である。
【０００６】
上記特許文献１は、画像ファイルの蓄積機能を備えた画像出力装置に関するものである。この画像出力装置は、画像ファイルの縮小画像の一覧をホスト装置に送信するようにしている。これにより、ホスト装置は画面に表示された縮小画像一覧を参照することで、画像出力装置に蓄積されている画像を見分けることが可能である。そして、ユーザは、縮小画像を参照してプリント出力する画像を選択するとともに、当該画面からプリント出力指示を行うことが可能である。
【０００７】
特許文献１の技術により、ユーザは、画像出力装置に蓄積された画像ファイルを参照し、選択した画像ファイルを直接プリント出力指示することが可能である。この技術は、ユーザが必要とする画像ファイルをプリント出力として得ることを目的とするものである。さらに、蓄積しているデータを別の形態、方法でユーザに提供することが可能であれば、ユーザにとって利便性の高い装置、システムが提供可能となる。
【０００８】
そこで、本発明は前記問題点に鑑み、蓄積しているファクシミリ送信用画像をユーザにとって利便性の高い形態で提供可能とする技術を提供することを目的とする。
【課題を解決するための手段】
【０００９】
上記課題を解決するため、請求項１記載の発明は、ネットワーク経由で端末からファクシミリ送信用画像データを受信して蓄積し、蓄積しているファクシミリ送信用画像データのリストを前記端末に送信する手段と、前記端末から前記リストに含まれる画像データの１つを指定した情報を受信する指定情報受信手段と、指定されたファクシミリ送信用画像データを所定フォーマットの画像データに変換する変換手段と、変換後の画像データを前記端末に送信する手段と、を備えることを特徴とする。
【００１０】
請求項２記載の発明は、請求項１に記載のネットワークファクシミリ装置において、前記指定情報受信手段は、画像フォーマットを指定した情報を受信する手段、を含み、前記変換手段は、指定されたファクシミリ送信用画像データを指定された画像フォーマットの画像データに変換する手段、を含むことを特徴とする。
【００１１】
請求項３記載の発明は、請求項１または請求項２に記載のネットワークファクシミリ装置において、前記リストはＷｅｂブラウザにおいて表示可能なデータ形式で前記端末に送信されることを特徴とする。
【００１２】
請求項４記載の発明は、請求項１ないし請求項３のいずれかに記載のネットワークファクシミリ装置において、前記ファクシミリ送信用画像データは、前記端末にインストールされているファクシミリドライバが前記端末に格納されているアプリケーションデータを変換することにより生成されることを特徴とする。
【００１３】
請求項５記載の発明は、画像フォーマットを変換するシステムであって、アプリケーションデータが作成される端末と、画像変換プログラムが格納されたネットワークファクシミリ装置と、を備え、前記端末は、ファクシミリドライバによりアプリケーションデータをファクシミリ送信用画像データに変換して前記ネットワークファクシミリ装置に送信する手段と、前記ネットワークファクシミリ装置が蓄積しているファクシミリ送信用画像データのリストからダウンロードする画像データを指定し、指定情報を前記ネットワークファクシミリ装置に送信する指定手段と、を備え、前記ネットワークファクシミリ装置は、前記端末からファクシミリ送信用画像データを受信して蓄積し、前記リストを前記端末に送信する手段と、前記端末から前記指定情報を受信し、指定されたファクシミリ送信用画像データを所定フォーマットの画像データに変換して前記端末に送信する手段と、を備えることを特徴とする。
【００１４】
請求項６記載の発明は、請求項５に記載の画像フォーマット変換システムにおいて、前記指定手段は、ダウンロードする画像のフォーマットを指定する手段、を含み、前記ネットワークファクシミリ装置は、指定されたファクシミリ送信用画像データを指定された画像フォーマットの画像データに変換することを特徴とする。
【００１５】
請求項７記載の発明は、請求項５または請求項６に記載の画像フォーマット変換システムにおいて、前記リストはＷｅｂブラウザにおいて表示可能なデータ形式で前記端末に送信されることを特徴とする。
【発明の効果】
【００１６】
本発明のネットワークファクシミリ装置は、端末から送信されたファクシミリ送信用画像データを所定フォーマットの画像データに変換して端末に送信する。これにより、端末に画像変換プログラムがインストールされていなくても、各種のアプリケーションデータを画像データに変換してダウンロードすることが可能である。
【００１７】
ネットワークで接続された端末のそれぞれに画像変換プログラムをインストールする必要がなくなり、効率的なシステム構成となる。たとえば、従来であれば、ユーザはＰＤＦ形式の文書ファイルを作成するためには、自端末にＰＤＦ変換ツールがインストールされている必要があったが、本発明のネットワークファクシミリ装置を利用することで、ＰＤＦ変換ツールがインストールされていない端末においても、ＰＤＦファイルを作成することが可能である。
【００１８】
さらに、所定フォーマットの画像データを得るために、ユーザは、ファクシミリドライバを利用するだけでよい。つまり、通常の印刷処理などと同じような感覚で処理を実行するだけで、所定フォーマットの画像データを得ることができるので、利便性がよい。
【発明を実施するための最良の形態】
【００１９】
以下、図面を参照しつつ本発明の実施の形態について説明する。図１は、本実施の形態に係るネットワークシステムを示す図である。このネットワークシステムは、ＰＣ１０と、デジタル複合機２０と、ＰＣ１０およびデジタル複合機２０を接続するＬＡＮ３０とを備えて構成される。このようなネットワークシステムがたとえばオフィス内に設置され、オフィスの社員によってデジタル複合機２０が利用される。
【００２０】
デジタル複合機２０は、ファクシミリ機能、コピー機能、プリンタ機能、スキャナ機能などを備えるとともに、ネットワーク機能を備えている。したがって、ＬＡＮ３０に接続されたＰＣ１０は、ＬＡＮ経由で、デジタル複合機２０の各種の機能を利用可能である。オフィスで働く社員は、ＰＣ１０を利用してＬＡＮ経由でデジタル複合機２０の各種機能を利用したり、実際にデジタル複合機２０の場所へ移動して、コピー操作などを行ったりすることで、１台のデジタル複合機２０を共用しているのである。
【００２１】
ＰＣ１０は、図に示すように、制御部１１、ハードディスク装置１２、ＬＡＮインタフェース１３、操作部１４、モニタ１５を備えている。制御部１１は、ＰＣ１０の全体制御を行う処理部である。制御部１１は、ＣＰＵ，ＲＡＭなどのハードウェア資源を備えており、オペレーティングシステムや各種プログラムなどが、それらハードウェア資源を利用して実行されることにより、各種の機能を実現する。
【００２２】
ハードディスク装置１２には、ワープロソフト５１、ファクシミリドライバ５２、Ｗｅｂブラウザ５３が格納されている。ワープロソフト５１は、文書を作成、編集して文書ファイルを作成するアプリケーションプログラムである。ファクシミリドライバ５２は、ワープロソフト５１から呼び出されることにより、ワープロソフト５１で作成した文書ファイルをファクシミリ送信するためのドライバプログラムである。具体的に説明すると、ユーザがいわゆるＰＣ−ＦＡＸ機能を利用する場合、ワープロソフト５１から「印刷」メニューを選択する（一般的には、ＰＣ−ＦＡＸ機能も印刷処理のメニューの一部に組み込まれていることが多いので）。そして、印刷ダイアログにおいて、プリンタとしてＰＣ−ＦＡＸ装置としてのデジタル複合機２０を指定する。そして、ユーザによりファクシミリの宛先情報が入力され、ファクシミリ送信指示が行われると、ファクシミリドライバ５２は、文書ファイルのデータをＭＭＲ，ＭＨ形式などのファクシミリ送信用画像データに変換してデジタル複合機２０に転送するのである。これにより、デジタル複合機２０によりファクシミリ送信が行われるのである。
【００２３】
ＬＡＮインタフェース１３は、ＬＡＮ３０に接続され、ＬＡＮ３０に接続されたコンピュータとの間でデータの送受信を行う。操作部１４は、キーボード、マウス等で構成される。モニタ１５は、たとえば液晶表示ディスプレイである。ユーザは、操作部１４、モニタ１５をユーザインタフェースとしてＰＣ１０を操作する。
【００２４】
デジタル複合機２０は、図に示すように、制御部２１、メモリ２２、ＬＡＮインタフェース２３、ファクシミリ送信部２４を備えている。制御部２１は、デジタル複合機２０の全体制御を行う処理部である。制御部２１は、ＣＰＵ，ＲＡＭなどのハードウェア資源を備えており、各種プログラムが、それらハードウェア資源を利用して実行されることにより、各種の機能を実現する。
【００２５】
メモリ２２には、一時保存フォルダ６１が生成されている。ユーザがＰＣ−ＦＡＸ機能を利用するときに、「一時保存」オプションを選択すると、ファクシミリ送信用画像データが、この一時保存フォルダ６１に格納される。この「一時保存」オプションについては、後で説明する。
【００２６】
メモリ２２には、また、画像変換プログラム６２が格納されている。この画像変換プログラム６２は、ファクシミリ送信用画像データを所定フォーマットの画像データに変換するプログラムである。たとえば、ＭＭＲ，ＭＨ形式のファクシミリ送信用画像データを、ＴＩＦＦ形式やＰＤＦ形式の画像ファイルに変換する。画像変換プログラム６２が、変換後に作成する画像のフォーマットは、特に限定されるものではないが、一般的には、汎用的なアプリケーションで表示、操作可能な汎用的なフォーマットで作成することが好ましい。たとえば、ＴＩＦＦ形式やＰＤＦ形式は、広く普及したフォーマットであるので、ユーザにとって利用し易いフォーマットである。
【００２７】
以上の通り構成されたデジタル複合機２０を利用した画像蓄積および画像変換機能について図２ないし図６を参照しながら説明する。
【００２８】
図２は、ＰＣ１０において実行されるファクシミリドライバ５２のフローチャートである。まず、ユーザは、ＰＣ１０においてワープロソフト５１を実行して文書を作成、編集する。文書の作成が完了すると、ユーザは、ワープロソフト５１を操作して印刷メニューを呼び出す。ユーザは、プリント出力するのであれば、この印刷メニューでプリンタを指定して印刷実行指示を行う。ここでは、ファクシミリドライバ５２を利用するので、ユーザは、印刷メニューにおいてファクシミリ装置を指定する操作を行う。ここでは、ファクシミリ装置としてデジタル複合機２０が指定されたものとする。これにより、ファクシミリ送信メニュー７０がＰＣ１０のモニタ１５に表示される。このファクシミリ送信メニュー７０は、ファクシミリドライバ５２により提供されているユーザインタフェースである。ファクシミリドライバ５２は、このユーザインタフェースで指定された情報に基づいて、ファクシミリ送信や画像蓄積処理などを制御するのである。
【００２９】
図３は、モニタ１５に表示されたファクシミリ送信メニュー７０のイメージ図である。このメニューは、ユーザ設定フィールド７１と、文書操作指示フィールド７２と、文書一覧指示フィールド７３とを含んでいる。ユーザは、ユーザ設定フィールド７１にユーザの名前とパスワードを入力する。ユーザは、作成した文書の操作方法を文書操作指示フィールド７２で指定する。文書操作指示フィールド７２には、複数の操作に対応した複数のラジオボタンが配置されている。たとえば、ファクシミリ送信したいのであれば、「送信」ボタンを選択する。ユーザは、ファクシミリ送信用画像データをデジタル複合機２０に一時保存したいのであれば、「一時保存」ボタンを選択する。文書一覧指示フィールド７３には、文書一覧を「開く」か「開かない」かを指定するラジオボタンが配置されている。ユーザは、文書一覧を開く必要性の有無に応じてこのボタンを選択する。文書一覧とは、デジタル複合機２０に蓄積されている画像データ（文書データが画像データ化されたものという意味で文書一覧と呼んでいるが、図や表などのデータが画像データ化されたものも含む。）の一覧を示している。
【００３０】
ここでは、ユーザは、ユーザ設定フィールド７１においてユーザ名とパスワードを入力し、文書操作指示フィールド７２において「一時保存」ボタンを選択し、文書一覧指示フィールド７３において「開く」ボタンを選択した上で、「ＯＫ」ボタンを押下したとする。これにより、ファクシミリドライバ５２は、図２のステップＳ１１において、「一時保存」および「文書一覧表示」が設定されたと判定し、文書データをラスタライズし、ＭＭＲ圧縮を行ってファクシミリ送信用画像データを生成する。つまり、ワープロソフト５１で作成した文書データをファクシミリ送信用にラスタライズするのである。そして、生成したＭＭＲ形式のファクシミリ送信用画像データを、ＨＴＴＰのＰＯＳＴメソッドを利用してデジタル複合機２０に送信する（ステップＳ１３）。また、このＨＴＴＰのＰＯＳＴデータには、「一時保存」および「文書一覧表示」要求コマンドが含まれる。
【００３１】
一方、ステップＳ１１で「一時保存」および「文書一覧表示」が設定されたと判定されなかった場合、ファクシミリドライバ５２は、その他の処理を実行する（ステップＳ１２）。その他の処理は、本発明の特徴的処理ではないので、説明を省略するが、たとえば、ファクシミリ送信などの処理が実行される。
【００３２】
続いて、デジタル複合機２０における受信処理の流れを図４のフローチャートを参照しながら説明する。図４は、デジタル複合機２０の制御部２１による処理の流れである。デジタル複合機２０は、ＨＴＴＰのＰＯＳＴメソッドを受信するかどうかをチェックしている（ステップＳ２１）。そして、ＰＯＳＴメソッドを受信すると、そのＰＯＳＴされてきたデータがＰＣ１０より送信されたコマンドであり、そのコマンドが「一時保存」および「文書一覧表示」を要求するコマンドであるかどうかを判定する（ステップＳ２２）。「一時保存」および「文書一覧表示」を要求するコマンドとは、ユーザが、図３に示したファクシミリ送信メニュー７０において、「一時保存」を指定するボタンと、文書一覧を「開く」を指定するボタンを選択した上で「ＯＫ」ボタンを押下したときに、ＰＣ１０から送信されるコマンドである。
【００３３】
ステップＳ２２において、「一時保存」および「文書一覧表示」要求コマンドであると判定されなかった場合には、その他の処理を実行する（ステップＳ２３）。その他の処理については、本発明の特徴的処理ではないので、説明を省略するが、たとえば、ファクシミリ送信などの処理が実行される。
【００３４】
ステップＳ２２において、「一時保存」および「文書一覧表示」要求コマンドであると判定された場合には、制御部２１は、ＨＴＴＰのＰＯＳＴデータからＭＭＲ形式のファクシミリ送信用画像データを取得し（ステップＳ２４）、メモリ２２内のテンポラリフォルダに格納する。つまり、ＰＣ１０を操作するユーザは、ファクシミリ送信メニュー７０において「一時保存」指定ボタンおよび「文書一覧」を「開く」ボタンを指定した上で、「ＯＫ」ボタンを選択している。これにより、ＰＣ１０からデジタル複合機２０に、ＭＭＲ形式に変換されたファクシミリ送信用画像データと「一時保存」および「文書一覧表示」要求コマンドが送信される。デジタル複合機２０は、受信したファクシミリ送信用画像データをテンポラリフォルダに格納するのである。
【００３５】
次に、デジタル複合機２０は、テンポラリフォルダに格納したファクシミリ送信用画像データをユーザの一時保存フォルダ６１に格納する（ステップＳ２５）。図１で示したメモリ２２内の一時保存フォルダ６１は、ユーザごとに作成されている。「一時保存」および「文書一覧表示」要求コマンドには、ユーザ設定フィールド７１で入力されたユーザ名の情報が含まれている。したがって、デジタル複合機２０は、受信したファクシミリ送信用画像データを、そのユーザ専用の一時保存フォルダ６１に格納するのである。このとき、ユーザ設定フィールド７１で入力されたパスワードの照合も行われる。また、ユーザ設定フィールド７１において「一般ユーザ」を選択可能とし、その場合には、共有の一時保存フォルダ６１にファクシミリ送信用画像データが格納されるようにしてもよい。
【００３６】
デジタル複合機２０は、ファクシミリ送信用画像データを、ユーザの一時保存フォルダ６１に格納すると、次に、その一時保存フォルダ６１に格納されている文書一覧のリストデータを作成し、そのリストデータをＨＴＴＰのレスポンスとしてＰＣ１０に送信する（ステップＳ２６）。
【００３７】
ＰＣ１０では、デジタル複合機２０からＨＴＴＰのレスポンスを受信すると、Ｗｅｂブラウザ５３が起動し、図５に示すような文書一覧画面８０がモニタ１５に表示される。文書一覧画面８０には、画面中央に文書一覧表示部８１が配置されている。文書一覧表示部８１には、当該ユーザの保存文書一覧が表示される。つまり、文書一覧表示要求を送信したユーザ（この場合、ＰＣ１０を操作しているユーザ）の一時保存フォルダ６１に格納されているファクシミリ送信用画像データの一覧が表示される。図５の例では、１つのファクシミリ送信用画像データがリスト表示されている。図に示すように、ファクシミリ送信用画像データに変換された文書ファイルのファイル名、ページ数、作成日時が記録されている。この例では、ワープロソフト５１で作成された「議事録.abc」という文書ファイルがリストされている。
【００３８】
この状態で、ユーザは、リストの左側に位置するチェックボタン８２をチェックする。このチェックによりダウンロードしたいデータを選択する。そして、「ＴＩＦＦダウンロード」ボタン８３あるいは「ＰＤＦダウンロード」ボタン８４のいずれかを押下するのである。これにより、Ｗｅｂブラウザ５３は、デジタル複合機２０に対して（具体的には、デジタル複合機２０で動作しているＷｅｂサーバに対して）、ＨＴＴＰのＧＥＴ要求を送信する。このＧＥＴ要求には、ダウンロードしたいデータを指定する情報、ダウンロードしたいデータのフォーマット（ＴＩＦＦあるいはＰＤＦ）を指定する情報が含まれる。
【００３９】
次に、デジタル複合機２０におけるダウンロード処理について図６を参照しながら説明する。図６は、デジタル複合機２０の制御部２１による処理の流れである。デジタル複合機２０は、ＨＴＴＰのＧＥＴ要求を受信するかどうかをチェックしている（ステップＳ３１）。ＨＴＴＰのＧＥＴ要求を受信すると、そのＧＥＴ要求がダウンロード要求であるかどうかをチェックする（ステップＳ３２）。つまり、図５で示した文書一覧画面８０において、「ＴＩＦＦダウンロード」ボタン８３あるいは「ＰＤＦダウンロード」ボタン８４が押下されることにより送信されたＧＥＴ要求（ダウンロード要求）であるかを判定する。
【００４０】
ダウンロード要求でない場合（ステップＳ３２でＮＯ）には、その他の処理を実行する（ステップＳ３３）。その他の処理については、本発明の特徴的処理ではないので説明を省略する。
【００４１】
ダウンロード要求である場合（ステップＳ３２でＹＥＳ）には、指定されているダウンロード形式がＰＤＦ形式であるかどうかをチェックする（ステップＳ３４）。この実施の形態においては、ダウンロード形式としては、ＴＩＦＦあるいはＰＤＦ形式のいずれかが選択されている。
【００４２】
ダウンロード形式がＰＤＦ形式である場合には、画像変換プログラム６２が、一時保存フォルダ６１に格納されているＭＭＲ形式のファクシミリ送信用画像データであってユーザによって指定された画像データを、ＰＤＦファイルに変換する（ステップＳ３５）。そして、デジタル複合機２０（具体的には、デジタル複合機２０で動作しているＷｅｂサーバ）は、作成されたＰＤＦファイルをＨＴＴＰのＢＯＤＹ部に格納したデータをレスポンスとしてＰＣ１０に送信するのである（ステップＳ３６）。
【００４３】
ダウンロード形式がＰＤＦ形式でない場合、つまりＴＩＦＦ形式が指定されている場合には、画像変換プログラム６２が、一時保存フォルダ６１に格納されているＭＭＲ形式のファクシミリ送信用画像データであってユーザによって指定された画像データを、ＴＩＦＦファイルに変換する（ステップＳ３７）。そして、デジタル複合機２０は、作成されたＴＩＦＦファイルをＨＴＴＰのＢＯＤＹ部に格納したデータをレスポンスとしてＰＣ１０に送信するのである（ステップＳ３８）。
【００４４】
上記の処理を実行することで、ＰＣ１０は、デジタル複合機２０からＴＩＦＦあるいはＰＤＦ形式の画像データをダウンロードすることができる。この画像データは、ユーザがワープロソフト５１を利用して作成、編集した文書データが画像データ化されたものである。
【００４５】
このように、本実施の形態のデジタル複合機２０を利用することで、ユーザは、ワープロソフト５１で作成した文書ファイルなどをＴＩＦＦファイルやＰＤＦファイルなどのファイル形式に変換してダウンロードすることが可能である。もちろん、画像変換プログラム６２が対応しているデータ形式であれば、ワープロソフト５１に限らず各種のアプリケーションプログラムで作成したデータを、ＴＩＦＦやＰＤＦなどの画像データに変換してダウンロードすることが可能である。
【００４６】
したがって、ユーザは、ＰＣ１０に画像変換プログラムがインストールされていなくても、デジタル複合機２０を利用して、アプリケーションデータを画像データに変換し、ＰＣ１０にダウンロードすることが可能である。たとえば、従来であれば、各ユーザが使用するＰＣにＰＤＦ変換ツールなどをインストールしておく必要があったが、本実施の形態のデジタル複合機２０を利用すれば、ユーザが利用するＰＣには、変換ツールがインストールされている必要がなく、非常に利便性がよい。たとえば、オフィスのコンピュータネットワークに本実施の形態のデジタル複合機２０が１台接続されていれば、このネットワークに接続されている各ＰＣには画像変換プログラムがインストールされていなくても、デジタル複合機２０を共用することで、ＰＤＦなどのデータを得ることが可能である。
【００４７】
また、上記の実施の形態で説明したように、ユーザは、印刷処理を実行する場合と同じような手順を踏むことで、ＰＤＦファイルやＴＩＦＦファイルをダウンロードすることが可能である。つまり、普段から慣れ親しんでいる処理手順を踏むだけで、所望の画像ファイルを自端末にダウンロードすることが可能である。
【図面の簡単な説明】
【００４８】
【図１】本実施の形態に係るデジタル複合機を含むネットワーク構成図である。
【図２】ＰＣにおけるファクシミリドライバ処理のフローチャートである。
【図３】ＰＣのモニタに表示されるファクシミリ送信メニューを示す図である。
【図４】デジタル複合機における一時保存文書受信処理のフローチャートである。
【図５】ＰＣのモニタに表示される文書一覧画面を示す図である。
【図６】デジタル複合機におけるダウンロード処理のフローチャートである。
【符号の説明】
【００４９】
１０      ＰＣ（パーソナルコンピュータ）
２０      デジタル複合機
３０      ＬＡＮ
５１      ワープロソフト
５２      ファクシミリドライバ
５３      Ｗｅｂブラウザ
６１      一時保存フォルダ
６２      画像変換プログラム
【図１】
2007306396.tif 000003
【図２】
2007306396.tif 000004
【図３】
2007306396.tif 000005
【図４】
2007306396.tif 000006
【図５】
2007306396.tif 000007
【図６】
2007306396.tif 000008